(57)【特許請求の範囲】
【請求項１】
電池蓋により画定される１つまたは複数の注液口と、
前記１つまたは複数の注液口に整列するよう構成される排気カバーと、
前記排気カバーに設けられる１つまたは複数の第１のスナップ機構と、
前記排気カバーに設けられる１つまたは複数の第２のスナップ機構と、
前記電池蓋に設けられる１つまたは複数の凹部と、を備え、
前記１つまたは複数の各第１のスナップ機構は、電池が直立状態にある場合において、前記排気カバーが前記排気カバーの上面から見て第１の深さに据え付けられるときに、前記凹部と噛み合うように構成され、かつ、
前記１つまたは複数の各第２のスナップ機構は、前記排気カバーが前記第１の深さと異なる第２の深さに据え付けられるときに、前記凹部と噛み合うように構成される、電池。
【請求項２】
前記１つまたは複数のスナップ機構は、前記１つまたは複数の第１のスナップ機構が前記電池蓋内の１つまたは複数の凹部と噛み合う第１の位置に前記排気カバーを据え付けられるようにする、請求項１に記載の電池。
【請求項３】
前記１つまたは複数のスナップ機構は、前記１つまたは複数の第２のスナップ機構が前記電池蓋内の１つまたは複数の凹部と噛み合う第２の位置に前記排気カバーを据え付けられるようにする、請求項２に記載の電池。
【請求項４】
前記排気カバーが前記第２の位置にある場合、前記第１のスナップ機構は、前記排気カバーが前記第１の位置にある場合に前記１つまたは複数の第１のスナップ機構と噛み合う前記１つまたは複数の凹部を越えて伸びる、請求項３に記載の電池。
【請求項５】
前記排気カバーが前記第２の位置にある場合、前記排気カバーの上面は、前記電池蓋の上面の少なくとも一部と実質的に同じ高さである、請求項３に記載の電池。
【請求項６】
前記スナップ機構は、前記排気カバーの前記電池蓋への据え付け、取り外しを可能とする、請求項１に記載の電池。
【請求項７】
前記電池の内容積部分と外部環境との間に漏れ防止密封構造を更に備える、請求項１に記載の電池。
【請求項８】
前記排気カバー内に１つまたは複数の排気筒と、
前記１つまたは複数の排気筒の少なくとも１つの上の突起リングと、
を更に備え、
前記排気筒は、前記１つまたは複数の注液口の中に備えられ、かつ前記突起リングが前記突起リングと前記１つまたは複数の注液口の内壁との間の液密の密封構造の供与を支援する、請求項１に記載の電池。
【請求項９】
前記排気カバーの適切に整列された据え付けのみを可能とするために、１つまたは複数の楔機構を更に含む、請求項１に記載の電池。
【請求項１０】
前記楔機構は、前記排気カバーと前記電池蓋が適切に整列されると噛み合う、前記排気カバー上の凹部と前記電池蓋上の突起とを備える、請求項９に記載の電池。
【発明の詳細な説明】
【技術分野】
【０００１】
本出願は、２００９年１月１３日に出願された米国仮特許出願第６１／１４４，２７７号及び国際出願ＰＣＴ／ＵＳ２０１０／０２０９５１の優先権を主張するものであり、その開示全体が参照により本明細書中に取り込まれる。
本発明は、漏れ防止のための電池蓋及びマニホールドあるいは排気カバーに関する。
【背景技術】
【０００２】
例示的な鉛蓄電池又はその他の液浸型電池は、水溶性電解液（例えば、硫酸）中に浸漬された多数の鉛又は鉛合金極板を含む。例示的な鉛蓄電池又はその他の液浸型電池を利用する充電および／または放電の段階においては、ガスが発生することがあり、密封されていない鉛蓄電池を例に取ると、これらのガスは、危険な状況（例えば、爆発性の圧力上昇および／または可燃状態）を防止するために外気へ放出することが必要である。さらに、さまざまな例示的な鉛蓄電池や液浸型蓄電池では、ガスは放出するが、（例えば転倒時に）カバーに付着した電解液の漏えいを防いだり、漏洩を好適に遅延させたりできるカバーがあれば、有用である。加えて、多くの例示的鉛蓄電池やその他の液浸型電池においては、上述の発ガス効果に電解液および／または水を取られるので、定期的に水溶性電解液を補充する必要がある。従って、種々の例示的な密封されていない鉛蓄電池またはその他の液浸型電池では、電池の充電時および／または放電時に生成されるガスを適切に放出することに加え、発ガス効果により失われる電解液および／または水を補充するために、電池に電解液および／または水を追加することができるカバーがあれば、有用である。
【発明の概要】
【発明が解決しようとする課題】
【０００３】
−基本的特徴およびその他の利点の概略−
以下に述べるような１つまたは複数の利点またはその他の利点を有する、本発明で開示する電池蓋と排気カバー、あるいはそれに類似のものを提供することは望ましい。
１．電池内で発生したガスを、外部へ安全に排気させる、電池蓋と排気カバー。  
２．製造費および／または材料費に関して、原価（労賃、および設備コストなど）の安い電池蓋と排気カバー。
３．追加の電解液および／または水を補充可能な、電池蓋と排気カバー。
４．転倒にも対応可能な電池蓋と排気カバー。
５．電池の製造時に電池の外表面を洗浄および／または乾燥する際に、水および／または洗浄剤が電池の内部に入ることを防止する、電池蓋と排気カバー。
６．洗浄プロセスの間、またはその前に、第１の位置に据え付けられ、洗浄プロセスの後には、第２の位置に据え付けることが可能な、電池蓋と排気カバー。
７．簡単な押しつけまたは加圧プロセスで据え付け可能な、電池蓋と排気カバー。
８．電池が傾いたときに、一連の邪魔板と管路を利用して、電池の電解液が電池蓋と排気カバーを通って進行することを制限する、電池蓋と排気カバー。
９．電池蓋に対して取り外し自在に連結される排気カバーを含む、電池蓋と排気カバー。
１０．カスケード式充填器や他の充填器が、設備の長さ／速度の範囲内で、電池のセル内に十分な酸を供給できるようにする、電池蓋と排気カバー。
【課題を解決するための手段】
【０００４】
例示的な一実施形態は、電池蓋により画定される１つまたは複数の注液口と、１つまたは複数の注液口に整列する排気カバーと、排気カバー上の１つまたは複数の第１のスナップ機構と、排気カバー上の１つまたは複数の第２のスナップ機構と、を備える、電池に関連する。
【０００５】
別の例示的な一実施形態は、電池蓋により画定される１つまたは複数の注液口と、１つまたは複数の注液口に整列する排気カバーと、１つまたは複数の注液口と１つまたは複数の排気口との間における、複数の突起から成る排気カバー内のラビリンス（迷路構造）と、を備える電池に関する。
【０００６】
本発明によるシステムおよび方法の様々な実施形態におけるこれらおよびその他の特徴と利点は、本発明による種々の装置、構造、および／または方法の、さまざまな例示的実施形態の以下の詳細な記述において説明され、またはそれから明らかとなる。
【０００７】
本発明によるシステムおよび方法のさまざまな例示的実施形態が、以下の図面を参照して詳細に記述される。図面は必ずしも寸法通りとなっていないことを理解されたい。場合によっては、本発明を理解するのに不要な、または他の詳細の読み取りを難しくする細部は省略した。本発明はここに図示した特定の実施形態に必ずしも限定されるものではないことは勿論であることを理解されたい。
【図面の簡単な説明】
【０００８】
【図１】例示的一実施形態による電池を有する車両の斜視図である。
【図２】例示的一実施形態による電池の斜視図である。
【図３】例示的一実施形態による、排気カバーと電池蓋の第１の部分の詳細図である。
【図４】図３の排気カバーと電池蓋の第２の部分の詳細図である．
【図５】例示的一実施形態による、排気カバーと電池蓋の第１の部分の詳細図である。
【図６】図５の排気カバーと電池蓋の第２の部分の詳細図である。
【図７】例示的一実施形態による、電池蓋の一部と電池蓋に据え付けられた排気カバーの一部の断面図である。
【図８】例示的一実施形態による、排気カバー上部の一部と排気カバー下部の一部と、電池蓋の一部との断面図である。
【図９】例示的一実施形態による、電池蓋の一部と、電池蓋に据え付けられた排気カバーの一部の断面図である。
【図１０】例示的一実施形態による、電池蓋上に適切に整列された排気カバーの平面図である。
【図１１】例示的一実施形態による、電池蓋上に不適切に整列された排気カバーの平面図である。
【図１２】例示的一実施形態による、電池蓋上に適切に整列された排気カバーの等角図である。
【図１３】例示的一実施形態による、排気カバーを使用可能な電池蓋上面の等角図である。
【図１４】例示的一実施形態による、排気カバーの上部と底部の分解等角図である。
【図１５】例示的一実施形態による、組み立てられた排気カバー上面の等角図である。
【図１６】例示的一実施形態による、組み立てられた排気カバー下面の等角図である。
【図１７】例示的一実施形態による、排気カバー上面の等角図である。
【図１８】例示的一実施形態による、電池および電池蓋の等角図である。
【図１９】例示的一実施形態による、電池蓋上面の等角図である。
【図２０】図１８の電池蓋の等角図である。
【図２１】図２の電池蓋および排気カバーの上面図である。
【図２２】図２の電池蓋および排気カバーの等角図である。
【発明を実施するための形態】
【０００９】
図１を見ると、例示的な実施形態により、電池１１０を含む車両が示されている。車両は自動車として示されているが、さまざまな他の実施形態によれば、車両には、特にオートバイ、バス、ＲＶ車、ボートなどを含む多岐にわたる異なるタイプの車両が含まれてもよい。一実施形態によれば、車両は移動目的に燃焼機関を利用する。電池は、車両および／または様々な車両システム（例えば、照明システムや点火システム）の始動や運転に必要な電力の少なくとも一部を提供するように構成されている。図１では電池は車両前部の車両カバーの下に配置されているが、他の様々な実施形態において、電池は他の位置に配置されてもよいことを理解されたい。例えば、種々の例示的実施形態において、電池は車両のトランクまたは車両の客室内（例えば、車両の後部座席の後）に配置されている。さらに、様々な例示的実施形態によれば電池は車両以外の種々の応用に利用されており、それらのすべては本発明の範囲内であることが意図されていることを理解されたい。
【００１０】
図１に示す電池１１０は、任意の種類の二次電池（例えば、充電可能な電池）を含んでいる。一実施形態によれば、電池は鉛蓄電池を含む。鉛蓄電池の様々な実施形態は、密封型（例えばメンテナンスフリー型）か非密封型（例えば液式型）かのいずれかである。例示的実施形態によれば、鉛蓄電池は非密封型の鉛蓄電池であり、定期的に電解液および／または水を加えて、電解液と水の片方または両方を所望の量および／または濃度に維持することが必要である。
【００１１】
図２，１７に示す様々な実施形態において、電池１１０は電池ハウジング１１１を含み、そのハウジング１１１には１つまたは複数の排気孔１２１（図１３，１６，２２に示す）を画定する電池蓋１２０と、電池蓋１２０内の排気孔１２１を実質的に覆うのに利用できる排気カバー１３０が含まれる。１つまたは複数の排気孔１２１を利用して、（例えば電池の発ガス効果により）失われた電解液および／または水を補充することができる。様々な実施形態において、電池１１０は水溶性電解液（例えば硫酸）と複数の電極板も含んでいる。
【００１２】
様々な実施形態において、電池ハウジング１１１は水溶性電解液と、複数の電極板を含み、電極板は水溶性電解液中に実質的に浸漬されている。様々な実施形態において、電池ハウジング１１１を水溶性電解液の容器の中に浸漬することにより、電池ハウジング１１が水溶性電解液で満たされる。電池ハウジングは矩形で示されているが、任意の所望の電池形状を利用することが可能である。
【００１３】
様々な実施形態において、電池蓋１２０は、上面、正面、第１の端部、第２の端部を含んでいる。様々な実施形態において、第１の端子と第２の端子が、電池蓋の上面からあるいは上面を貫通して延伸または突出している。様々な実施形態において、第１の端子と第２の端子は蓋の上面から延伸し、実質的に蓋の周辺部（例えば、角）付近に配置されている。例示的一実施形態において、第１の端子と第２の端子は、正面端部と第１の端、第２の端が交差する付近の領域に配置されている。
【００１４】
図１３，１６，２２に示す様々な実施形態において、電池蓋１２０には１つまたは複数の排気口１２１もまた備えられていて、ガスの電池からの放出を支援する。
【００１５】
様々な実施形態において、各排気口１２１はカバーの周辺に沿って配置されている。一実施形態では、第１の排気口が排気カバー１３０の第１の端の近くにあり、第２の排気口が排気カバー１３０の第２の端の近くにある。
【００１６】
様々な実施形態において、１つまたは複数の注液口１２３（図８に示す）もまた電池蓋１２０内に備えられ、ガスが１つまたは複数の排気口１２１から放出される際に失われる電解液および／または水を補充できるようにする。
【００１７】
様々な実施形態において、電池蓋１２０は、電池蓋１２０内の１つまたは複数の注液口１２３を覆うのに利用できる排気カバー１３０を含んでもよい。
【００１８】
様々な実施形態において、排気カバー１３０は、１つまたは複数の注液口１２３のそれぞれと連結するように適合された、１つまたは複数の排気筒１３１を含む。
【００１９】
図３〜９に示す様々な実施形態において、排気カバー１３０は第１の、１つまたは一連のスナップ機構１３２と、第２の、１つまたは一連のスナップ機構１３３とを備え、それらのそれぞれは、電池蓋１２０に設けられた凹部と相互作用するように適合されている。
【００２０】
様々な実施形態において、１つまたは複数の排気口１２１のそれぞれは排気カバー１３０の中に配置される。電池蓋１２０は、電池ハウジングと適切に連結された場合、排気口以外には実質的に気密／液密である。
【００２１】
様々な実施形態において、排気カバー１３０は、電池蓋１２０の内部、および／または電池蓋１２０の表面上へ複数段の深さで据え付け可能である。様々な実施形態において第１の深さでは、１つまたは複数の注液口１２３は電池蓋１２０の上面より上の高さで密封され、電池蓋１２０のすべての上面は実質的に外部雰囲気に曝される。図２１，２２に示す様々な実施形態において第２の深さでは、排気カバー１３０の上面１３７は、電池蓋１２０の上面１２５の少なくとも一部と実質的に同じ高さである。
【００２２】
排気カバー１３０は、電池ハウジングからガスを抜けさせるのに利用可能であるが、水溶性電解液の放出は防止するように働く。この効果のために図１４に示す様々な実施形態において、排気カバー１３０は、１つまたは複数の邪魔板、水平張り出し、障害物、および／またはその他のラビリンス（迷路構造）型配置の構造１３５、を含んでもよい。ラビリンス型配置は、（例えば、直立でない、すなわち転倒した（例えば、傾いたり、回転したり、ひっくり返ったりした）位置にある場合などで）水溶性電解液が排気カバー内に入ったとき、水溶性電解液の前進を遅らせたり、止めたりするのに利用することができる。
【００２３】
排気カバー１３０は、引き込みチューブまたは類似の構造物を接続するための連結構造を含み、電池ハウジングから漏れるガスを、電池１１０から遠隔位置にある外部環境へ差し向けることを支援する。
【００２４】
様々な実施形態において、鉛蓄電池の製造過程で、酸性電解液（例えば硫酸）が電池のハウジング内に供給される。このプロセスは、電池蓋内の１つまたは複数の注液口を通して電池ハウジングの中に酸性電解液を充填するために、電池蓋および１つまたは複数の電極を含む電池ハウジングを酸性電解液の中に浸漬することを含んでもよい。浸漬した電池ハウジングを酸性電解液から取り出した後、電池ハウジングの外表面上に残留酸性電解液が残る可能性がある。さらには、ちりやその他の破片も、電池ハウジングの外表面上に集まる可能性がある。電池ハウジングの外表面上の残留酸性電解液および／またはその他の破片は、洗浄工程で除去されてもよい。
【００２５】
図３〜４に示すように様々な実施形態において、排気カバー１３０は先ず電池蓋１２０の上に置かれて、電池蓋１２０で画定される１つまたは複数の注液口１２３に整列される。図３に示すようにさまざまな実施形態において、排気カバー１３０がこの位置にある場合には排気カバー１３０は１つまたは複数の第１のスナップ機構１３２の上に載り、１つまたは複数の排気筒１３１は、電池蓋の中に設けられた１つまたは複数の注液口１２３に整列している。この詳細を図４に示す。さまざまな実施形態において、電池は、電池蓋を含めて電解液中に浸漬され、および／または電解液で満たされる。その後に、図３〜４に示すように排気カバーが電池蓋上に据え付けられる。
【００２６】
さまざまな実施形態において、図３〜４に示すように排気カバー１３０が提供されて、および／または電池蓋１２０上に整列された後、かつ上記の電池ハウジングの洗浄前に、排気カバー１３０が電池蓋１２０の上および／または中に、第１の深さまたは位置に据え付けられる。電池蓋上のこの第１の深さまたは位置に据え付けられた排気カバー１３０の例示的実施形態を図５〜６に示す。図５に詳細を示すように、さまざまな実施形態において、排気カバー１３０は、第１の１つまたは一連のスナップ機構１３２が、電池蓋１２０で画定された１つまたは複数の凹部に噛み合うかその中に差し込まれる位置に据え付けられる。この第１のスナップ機構１３２は、排気カバー１３０が電池蓋１２０から意図せずに外れることのないようにし、また１つまたは複数の排気筒と１つまたは複数の注液口１２３との間に、十分な密封が保持されるようにする。この詳細を図６に示す。さまざまな実施形態において、１つまたは複数の排気筒１３１のそれぞれに設けられた突起リング１３４が、１つまたは複数の排気筒１３１と１つまたは複数の注液口１２３との密封を促進する。図６に示すように、各突起リング１３４は１つまたは複数の注液口１２３のそれぞれの外端部に提供されるかまたは配置される。さまざまな実施形態において、各突起リング１３４はゴム製である。さまざまな実施形態において、各突起リング１３４は、１つまたは複数の排気筒１３１の作製材料で作られている。
【００２７】
さまざまな実施形態において、排気カバー１３０が図５〜６に示す第１の位置に据え付けられている場合、電池ハウジングの内容積部分と外部環境との間に、少なくとも電池ハウジングの外表面を洗浄するのに十分な位置まで、漏洩しないようにする密封が施される。そうして電池ハウジングは洗浄される。それは例えば、電池ハウジングを洗浄液の中に、電池蓋を含む電池ハウジングの全体を覆うまで浸漬させて行なう。ただし、排気カバー１３０の上部や排気カバー内の開口（例えばガス排気口）は覆わないようにする。別の方法としては、電池ハウジングは、例えば一連のスプレーおよび／またはブラシを利用して洗浄してもよい。電池ハウジングは洗浄されて、前述した電解液を電池ハウジングに充填した後に電池ハウジングの外表面に残っている、例えば余分の電解液や破片が除去される。
【００２８】
さまざまな実施形態において、電池ハウジングが洗浄された後、排気カバー１３０が第２の深さまたは位置へ据え付けられる。この第２の深さまたは位置で電池蓋上に据え付けられた排気カバー１３０の例示的実施形態を図７〜９に示す。図８に示すように、さまざまな実施形態において、排気カバー１３０が第２の深さまたは位置で据え付けられた場合、排気カバー１３０の上面１３７は電池蓋１２０の上面１２５の少なくとも一部と実質的に同じ高さになる。図９に示すように、さまざまな実施形態において、排気カバー１３０が第２の深さまたは位置まで据え付けられた場合、第２の１つまたは一連のスナップ機構１３３は電池蓋１２０内の１つまたは複数の凹部１２４と噛み合うかその中に差し込まれる。図７に示すようにさまざまな実施形態において、排気カバー１３０が第２の深さで提供されると、第１のスナップ機構１３２は第１の深さの時に噛み合っていた１つまたは複数の凹部１２４を越えて伸びる。図８に示すように、１つまたは複数の排気筒１３１は、電池蓋１２０によって画定された１つまたは複数の注液口１２３の中へ供給され、１つまたは複数の排気筒１３１の突起リング１３４が、突起リング１３４と１つまたは複数の注液口１２３の内壁との間に、液密および／または気密の密封構造の提供を促進する。
【００２９】
さまざまな実施形態において、排気カバー１３０を電池蓋１２０上にきちんと整列させるために、排気カバー１３０および／または電池蓋１２０は、排気カバー１３０が適切に整列された状態しかで据え付けられないようにする楔機構または突起を含んでもよい。例えば、図１０〜１２に示すようにさまざまな実施形態において、排気カバー１３０が正しく整列された場合に電池蓋１２０の突起と連結する凹部を、排気カバー１３０は備えていてもよい。図１０〜１２は、排気カバー１３０が電池蓋１２０に対して適切に整列された例示的実施形態を示している。図１０と図１２では、排気カバー１３０と電池蓋の注目の角は、適切に接続されている。図１１は、排気カバー１３０が電池蓋１２０に対して不適切に整列された例を示している。（例えば、排気カバー１３０の角が電池蓋１２０と干渉し、電池蓋１２０の角が排気カバー１３０と干渉している。）
【００３０】
前述の例示的な製造プロセスの間に、排気カバーは様々な理由で取り外されることがあることを理解されたい。さまざまな実施形態において、前述の第１の深さまたは位置に据え付けられた後、前述の第２の深さまたは位置へ据え付けられる以前に、例えば最初の充填プロセスの後で水および／または電解液を追加するために、排気カバー１３０が取り外されることもある。さまざまな実施形態において、第１の１つまたは１組のクリップは、電池ハウジングの外側から開放可能であって、排気カバーを第１の深さまたは位置から取り外すことを支援する。その一方で、第２の１つまたは１組のクリップが、排気カバーが第２の深さまたは位置に据え付けられた場合に、排気カバーの電池蓋への固定をより強固にしてもよい。
【００３１】
さまざまな実施形態において、排気カバーは、上記の洗浄および／または乾燥段階の前または途中で据え付けられる仮カバー、および／または上記の洗浄および／または乾燥段階が終了した後に据え付けられる最終カバーの代わりに利用されてもよいことも理解されたい。例えばさまざまな実施形態において、排気カバーは、第１の深さまたは位置に提供された場合に、仮カバーと同じか類似の機能を果たす（例えば、洗浄および／または乾燥の段階で、水および／または洗浄液が電池内部へ入らないようにする）。そして第２の深さまたは位置に据え付けられた場合に、最終カバーと同じか類似の機能を果たす（例えば、ガスを安全に排気させ、および／または電解液が電池の外へこぼれたりもれたりすることを防止する）。
【００３２】
さまざまな実施形態において、電池蓋と排気カバーは転倒にも対応できるようになっていることを理解されたい。すなわち、電池が好適でない（例えば、傾いたり、回転したり、ひっくり返ったりした）位置または方向にある場合に、電池内部から電解液やその他の液体が外部へ出る（例えば、注液口から流れ出して排気カバーの中、および／または排気口の外へ出る）ことを防止させることもできる。図８及び図１４に示すように、さまざまな実施形態において、排気カバー１３０は、例えば邪魔板や壁などのような突起１３５を含んでいる。これらの突起は、１つまたは複数の注液口１２３と排気口１２１との間の複雑なラビリンス（迷路）を通って任意の流体（例えば、ガス、液体（例：電解液））を案内することを支援する。電池１１０が好適な方向から動いた（例えば、傾いたり、回転したり、ひっくり返ったりした）場合でも、ラビリンス１３６は、電池ハウジングと排気カバー内に電解液を閉じ込めるように支援する。電池が正立した、または好適な位置に戻った場合に、ラビリンスはまた電解液を案内して電池ハウジングの中に戻すことを支援する。その一方で、ガスは適切に排出される。
【００３３】
本明細書において使用されている、“ほぼ”、“約”、“実質的に”、およびこれに類似の用語は、本開示の主題に関わる当業者による一般的かつ許容された用法に調和する、広範な意味を有することが意図される。本開示を精査する当業者であれば、これらの用語は、記述されかつ特許請求されるある特徴を、与えられた正確な数値の範囲に制限することなしに記述可能とすることが意図されていることを理解できるであろう。従って、これらの用語は、記述されかつ特許請求される主題に関する、僅かな、あるいは重大でない修正または変更が、添付の特許請求の範囲に述べる本発明の範囲内であるとみなされることを指示するものと解釈されるべきである。
【００３４】
本説明における相対位置に関する参照（例えば、“上”と“下”）は、種々の要素を図中における配置として識別するために用いられているに過ぎないことに留意されたい。特定の部品の方向は、それの実際のアプリケーションに大きく依存していることが認識されるべきである。
【００３５】
本開示において、“連結された”という用語は、２つの要素を直接的または間接的に互いに結合することを意味している。そのような結合は、本質的に静的であっても、本質的に動的であってもよい。そのような結合は、２つの部材、または２つの部材と任意の追加的な中間部材が、相互に１つの結合体として形成されるか、または２つの部材、または２つの部材と任意の追加的な中間部材が、相互に接続されることによって実現される。そのような結合は、本質的に永続性のものであってもよいし、本質的に取り外し可能または解放可能であってもよい。
【００３６】
また、好適およびその他の例示的な実施形態において示した電池蓋と排気カバーの要素の構造と配置は、説明のためのものだけであることに留意することが重要である。本開示においては本発明の僅か数例の実施形態を詳細に記述したに過ぎないが、この開示を精査する当業者であれば、ここに開示した主題の新規性のある教示および利点から著しく乖離することなしに、多くの修正（例えば、サイズ、寸法、構造、種々の要素の形状および割合、パラメータ値、取付方法、材料の使用方法、色、方向などの変更）が可能であることは容易に理解できるであろう。例えば、一体的に形成されているように示されている要素が複数の部品で構成されてもよいし、複数の部品として示されている要素が一体的に形成されてもよいし、接合部分（例えばクランプなど）の操作が逆転したものもしくは違うものに変更されてもよいし、構造および／または部材の長さまたは幅、あるいはシステムのコネクタまたはその他の要素が変更されてもよいし、要素間に与えられる調節位置の性質または数が（例えば、係合するスロットの数や係合するスロットの寸法や係合の種類などの変更により）変更されてもよい。要素および／またはシステムのアセンブリは、十分な強度または耐久性を与える広範囲の材料の任意のもので構築されてよい。そしてその色とテキスチャとそれらの組合わせも多種類の中の任意のものでよい。また、回転ディスプレイ、またはこれに替わるその他の移動できない固定ディスプレイ、またはその他の多種の任意のアプリケーションにおけるその他の多種の任意の表面に関連して、ディスプレイシステムが利用されてもよい。従って、そのような修正はすべて、本発明の範囲内に含まれることが意図されている。好適およびその他の例示的実施形態の設計、動作条件、および配置に関して、その他の代替、修正、変更、省略を、本発明の精神から外れることなしに行なうことが可能である。
【図１】
0005631895.tif 000002
【図２】
0005631895.tif 000003
【図３】
0005631895.tif 000004
【図４】
0005631895.tif 000005
【図５】
0005631895.tif 000006
【図６】
0005631895.tif 000007
【図７】
0005631895.tif 000008
【図８】
0005631895.tif 000009
【図９】
0005631895.tif 000010
【図１０】
0005631895.tif 000011
【図１１】
0005631895.tif 000012
【図１２】
0005631895.tif 000013
【図１３】
0005631895.tif 000014
【図１４】
0005631895.tif 000015
【図１５】
0005631895.tif 000016
【図１６】
0005631895.tif 000017
【図１７】
0005631895.tif 000018
【図１８】
0005631895.tif 000019
【図１９】
0005631895.tif 000020
【図２０】
0005631895.tif 000021
【図２１】
0005631895.tif 000022
【図２２】
0005631895.tif 000023